(57)【要約】      （修正有）【課題】供給される電源電圧を安定化するレギュレーターが設けられた駆動回路において、電気光学パネルを駆動する性能を低下させることなく消費電力を低減する。【解決手段】この駆動回路は、複数のデータ線に階調信号を供給するデータ線駆動回路と、供給される電源電圧を安定化して平滑用キャパシター及びデータ線駆動回路に供給するレギュレーターと、レギュレーターを構成する複数の回路素子の接続状態を切り換える切換回路と、切換回路を制御する制御回路とを備え、制御回路が、複数の画素素子に階調信号が供給されるときに、レギュレーターの電圧安定化能力を所定の水準に設定するように切換回路を制御し、複数の画素素子に階調信号が供給されないときに、レギュレーターの電圧安定化能力を所定の水準よりも低い水準に設定し、又は、レギュレーターの動作を停止するように切換回路を制御する。【選択図】図１
2018159825.tif 000002
【特許請求の範囲】
【請求項１】
複数の走査線と、複数のデータ線と、前記複数の走査線と前記複数のデータ線との交差
に対応して設けられ、複数の画素素子をそれぞれ含む複数の画素回路とを備える電気光学
パネルを駆動する駆動回路であって、
前記複数のデータ線に階調信号を供給するデータ線駆動回路と、
供給される電源電圧を安定化して、安定化された電源電圧を平滑用キャパシター及び前
記データ線駆動回路に供給するレギュレーターと、
前記レギュレーターを構成する複数の回路素子の接続状態を切り換える切換回路と、
前記切換回路を制御する制御回路と、
を備え、
前記制御回路が、
前記複数の画素素子に階調信号が供給されるときに、前記レギュレーターの電圧安定化
能力を所定の水準に設定するように前記切換回路を制御し、
前記複数の画素素子に階調信号が供給されないときに、前記レギュレーターの電圧安定
化能力を前記所定の水準よりも低い水準に設定し、又は、前記レギュレーターの動作を停
止するように前記切換回路を制御する、
駆動回路。
【請求項２】
前記制御回路が、所定のフレームレートで前記電気光学パネルを駆動する第１のモード
において、前記複数の画素素子に階調信号が供給されるときに、前記レギュレーターの電
圧安定化能力を所定の水準に設定するように前記切換回路を制御し、前記所定のフレーム
レートよりも高いフレームレートで前記電気光学パネルを駆動する第２のモードにおいて
、前記複数の画素素子に階調信号が供給されるときに、前記レギュレーターの電圧安定化
能力を前記所定の水準よりも高い水準に設定するように前記切換回路を制御する、請求項
１記載の駆動回路。
【請求項３】
前記制御回路が、フロントポーチ期間及びバックポーチ期間において、前記レギュレー
ターの電圧安定化能力を前記所定の水準よりも低い水準に設定し、又は、前記レギュレー
ターの動作を停止するように前記切換回路を制御する、請求項１又は２記載の駆動回路。
【請求項４】
前記レギュレーターが、
参照電圧と前記レギュレーターの出力電圧との差を増幅するための差動増幅回路と、
前記差動増幅回路に定電流を供給するための複数の定電流トランジスターと、
前記差動増幅回路の出力信号に従って前記レギュレーターの出力電圧を生成するための
複数の出力トランジスターと、
を含み、前記切換回路が、
前記差動増幅回路に定電流を供給する定電流トランジスターの数を選択する第１の選択
回路と、
前記レギュレーターの出力電圧を生成する出力トランジスターの数を選択する第２の選
択回路と、
を含む、請求項１〜３のいずれか１項記載の駆動回路。
【請求項５】
供給される電源電圧を安定化して、安定化された電源電圧を第２の平滑用キャパシター
及び前記電気光学パネルの共通電極に供給する第２のレギュレーターと、
前記第２のレギュレーターを構成する複数の回路素子の接続状態を切り換える第２の切
換回路と、
をさらに備え、
前記制御回路が、前記複数の画素素子に階調信号が供給されるときに、前記第２のレギ
ュレーターの電圧安定化能力を所定の水準に設定するように前記第２の切換回路を制御し
、前記複数の画素素子に階調信号が供給されないときに、前記第２のレギュレーターの電
圧安定化能力を前記所定の水準よりも低い水準に設定し、又は、前記第２のレギュレータ
ーの動作を停止するように前記第２の切換回路を制御する、請求項１〜４のいずれか１項
記載の駆動回路。
【請求項６】
前記複数の走査線に走査信号を供給する走査線駆動回路と、
供給される電源電圧を安定化して、安定化された電源電圧を第３の平滑用キャパシター
及び昇圧回路に供給する第３のレギュレーターと、
前記第３のレギュレーターを構成する複数の回路素子の接続状態を切り換える第３の切
換回路と、
をさらに備え、
前記昇圧回路が、前記第３のレギュレーターによって安定化された電源電圧を昇圧して
、昇圧された電源電圧を第４の平滑用キャパシター及び前記走査線駆動回路に供給し、
前記制御回路が、所定のフレームレートで前記電気光学パネルを駆動する第１のモード
において、前記複数の画素素子に階調信号が供給されるときに、前記第３のレギュレータ
ーの電圧安定化能力を所定の水準に設定するように前記第３の切換回路を制御し、前記所
定のフレームレートよりも高いフレームレートで前記電気光学パネルを駆動する第２のモ
ードにおいて、前記複数の画素素子に階調信号が供給されるときに、前記第３のレギュレ
ーターの電圧安定化能力を前記所定の水準よりも高い水準に設定するように前記第３の切
換回路を制御する、請求項１〜５のいずれか１項記載の駆動回路。
【請求項７】
前記複数の画素回路の各々が、前記複数のデータ線の内の１つのデータ線と前記複数の
画素素子の内の１つの画素素子との間に直列接続された複数のトランジスターを含み、
前記走査線駆動回路が、順次選択された画素行の画素回路の前記複数のトランジスター
を同時にオン状態に制御し、何れの画素行も選択されないときに、複数の画素行の画素回
路の前記複数のトランジスターを交互にオフ状態に制御する、請求項６記載の駆動回路。
【請求項８】
第１の走査線と、第２の走査線と、複数のデータ線と、前記第１及び第２の走査線と前
記複数のデータ線との交差に対応して設けられた複数の画素回路とを備え、前記複数の画
素回路の各々が、画素電極と、共通電極と、前記複数のデータ線の内の１つのデータ線に
電気的に接続されて前記第１の走査線で制御される第１のトランジスターと、前記第１の
トランジスターと前記画素電極との間に電気的に接続されて前記第２の走査線で制御され
る第２のトランジスターとを含む、電気光学パネルを駆動する駆動回路であって、
前記複数のデータ線に階調信号を供給するデータ線駆動回路と、
前記データ線駆動回路に電源電圧を供給する第１の電圧生成回路と、
前記第１及び第２の走査線に走査信号を供給する走査線駆動回路と、
前記走査線駆動回路に電源電圧を供給する第２の電圧生成回路と、
を備え、
前記第１のトランジスターと前記第２のトランジスターとを交互にオフ状態とする第１
の期間においては、前記第１の電圧生成回路を停止させて前記第２の電圧生成回路を動作
させ、
前記第１のトランジスターと前記第２のトランジスターとを同時にオン状態とする第２
の期間においては、前記第１の電圧生成回路及び前記第２の電圧生成回路を動作させる、
駆動回路。
【請求項９】
請求項１〜８のいずれか１項記載の駆動回路と、
前記駆動回路によって駆動される前記電気光学パネルと、
を備える電子機器。
【発明の詳細な説明】
【技術分野】
【０００１】
本発明は、液晶表示パネル等の電気光学パネルを駆動する駆動回路、及び、そのような
駆動回路を用いた電子機器等に関する。
【背景技術】
【０００２】
例えば、液晶表示パネルに設けられた複数のＴＦＴ（薄膜トランジスター）を駆動する
駆動回路は、画像データに応じた電圧を有する階調信号を生成して複数のデータ線に供給
すると共に、液晶表示パネルの複数のラインを走査するための走査信号を生成して複数の
走査線に供給する。そのために、バッテリー等から供給される電源電圧を昇圧する昇圧回
路と、昇圧回路から供給される電源電圧を安定化するレギュレーターとを含む電源回路が
必要になる。
【０００３】
そのような電源回路が設けられた従来の駆動回路においては、昇圧回路及びレギュレー
ターが定常的に動作するので、電源回路の消費電力が大きくなってしまう。電源回路の消
費電力を削減するために、レギュレーターの定常的な動作電流を低減する試みも行われて
いるが、液晶表示パネルを駆動する性能を低下させないで動作電流を低減するのには限界
がある。
【０００４】
関連する技術として、特許文献１には、ＴＦＴを用いたスイッチング回路、及び、該ス
イッチング回路を用いた画素駆動回路が開示されている。このスイッチング回路は、入力
端と出力端との間に直列接続された少なくとも２つのＦＥＴと、オフ指令の存在下におい
て、それらのＦＥＴを交互にオフ駆動し、オン指令の存在下において、それらのＦＥＴを
同時にオン駆動する駆動部とを有する。
【０００５】
特許文献１のスイッチング回路によれば、ＴＦＴをオフ状態に維持するときに、ＴＦＴ
のゲート・ソース間に一定のバイアス電圧を印加し続けることによって生じるゲートスト
レスの影響によるＴＦＴの閾値電圧の変動を低減することができる。しかしながら、少な
くとも２つのＴＦＴを交互にオフ状態にするために複数の走査線を駆動する必要があるの
で、駆動部に電源電圧を供給するレギュレーターの消費電力が増加してしまう。
【先行技術文献】
【特許文献】
【０００６】
【特許文献１】国際公開第２００８／０３２５５２号パンフレット（段落０００１−０００８、図１〜図５）
【発明の概要】
【発明が解決しようとする課題】
【０００７】
そこで、上記の点に鑑み、本発明の第１の目的は、供給される電源電圧を安定化するレ
ギュレーターが設けられた駆動回路において、電気光学パネルを駆動する性能を低下させ
ることなく消費電力を低減することである。特に、画素回路において直列接続された複数
のトランジスターを交互にオフ状態にするために複数の走査線を駆動する駆動回路におい
ては、駆動回路全体として消費電力を低減することが望まれる。また、本発明の第２の目
的は、そのような駆動回路を用いた電子機器等を提供することである。
【課題を解決するための手段】
【０００８】
以上の課題の少なくとも一部を解決するため、本発明の第１の観点に係る駆動回路は、
複数の走査線と、複数のデータ線と、複数の走査線と複数のデータ線との交差に対応して
設けられ、複数の画素素子をそれぞれ含む複数の画素回路とを備える電気光学パネルを駆
動する駆動回路であって、複数のデータ線に階調信号を供給するデータ線駆動回路と、供
給される電源電圧を安定化して、安定化された電源電圧を平滑用キャパシター及びデータ
線駆動回路に供給するレギュレーターと、レギュレーターを構成する複数の回路素子の接
続状態を切り換える切換回路と、切換回路を制御する制御回路とを備え、制御回路が、複
数の画素素子に階調信号が供給されるときに、レギュレーターの電圧安定化能力を所定の
水準に設定するように切換回路を制御し、複数の画素素子に階調信号が供給されないとき
に、レギュレーターの電圧安定化能力を所定の水準よりも低い水準に設定し、又は、レギ
ュレーターの動作を停止するように切換回路を制御する。
【０００９】
本発明の第１の観点によれば、複数の画素素子に階調信号が供給されないときに、安定
化された電源電圧をデータ線駆動回路に供給するレギュレーターの電圧安定化能力が階調
信号供給時よりも低い水準に設定され、又は、レギュレーターの動作が停止されるので、
電気光学パネルを駆動する性能を低下させることなく消費電力を低減することができる。
【００１０】
ここで、制御回路が、所定のフレームレートで電気光学パネルを駆動する第１のモード
において、複数の画素素子に階調信号が供給されるときに、レギュレーターの電圧安定化
能力を所定の水準に設定するように切換回路を制御し、所定のフレームレートよりも高い
フレームレートで電気光学パネルを駆動する第２のモードにおいて、複数の画素素子に階
調信号が供給されるときに、レギュレーターの電圧安定化能力を所定の水準よりも高い水
準に設定するように切換回路を制御するようにしても良い。それにより、第２のモードに
おいて、電気光学パネルを駆動する性能を高い水準に維持し、フレームレートが第２のモ
ードよりも低い第１のモードにおいて、駆動回路の消費電力を第２のモードよりも低減す
ることができる。
【００１１】
また、制御回路が、フロントポーチ期間及びバックポーチ期間において、レギュレータ
ーの電圧安定化能力を所定の水準よりも低い水準に設定し、又は、レギュレーターの動作
を停止するように切換回路を制御するようにしても良い。フロントポーチ期間及びバック
ポーチ期間においては、複数画素素子に階調信号が供給されないので、電気光学パネルを
駆動する性能を低下させることなく消費電力を低減することができる。
【００１２】
さらに、レギュレーターが、参照電圧とレギュレーターの出力電圧との差を増幅するた
めの差動増幅回路と、差動増幅回路に定電流を供給するための複数の定電流トランジスタ
ーと、差動増幅回路の出力信号に従ってレギュレーターの出力電圧を生成するための複数
の出力トランジスターとを含み、切換回路が、差動増幅回路に定電流を供給する定電流ト
ランジスターの数を選択する第１の選択回路と、レギュレーターの出力電圧を生成する出
力トランジスターの数を選択する第２の選択回路とを含むようにしても良い。それにより
、レギュレーターの電圧安定化能力を複数の水準の内のいずれかに設定し、又は、レギュ
レーターの動作を停止することができる。
【００１３】
以上において、駆動回路が、供給される電源電圧を安定化して、安定化された電源電圧
を第２の平滑用キャパシター及び電気光学パネルの共通電極に供給する第２のレギュレー
ターと、第２のレギュレーターを構成する複数の回路素子の接続状態を切り換える第２の
切換回路とをさらに備え、制御回路が、複数の画素素子に階調信号が供給されるときに、
第２のレギュレーターの電圧安定化能力を所定の水準に設定するように第２の切換回路を
制御し、複数の画素素子に階調信号が供給されないときに、第２のレギュレーターの電圧
安定化能力を所定の水準よりも低い水準に設定し、又は、第２のレギュレーターの動作を
停止するように第２の切換回路を制御するようにしても良い。
【００１４】
その場合には、複数の画素素子に階調信号が供給されないときに、安定化された電源電
圧を電気光学パネルの共通電極に供給する第２のレギュレーターの電圧安定化能力が階調
信号供給時よりも低い水準に設定され、又は、第２のレギュレーターの動作が停止される
ので、電気光学パネルを駆動する性能を低下させることなく消費電力を低減することがで
きる。
【００１５】
また、駆動回路が、複数の走査線に走査信号を供給する走査線駆動回路と、供給される
電源電圧を安定化して、安定化された電源電圧を第３の平滑用キャパシター及び昇圧回路
に供給する第３のレギュレーターと、第３のレギュレーターを構成する複数の回路素子の
接続状態を切り換える第３の切換回路とをさらに備え、昇圧回路が、第３のレギュレータ
ーによって安定化された電源電圧を昇圧して、昇圧された電源電圧を第４の平滑用キャパ
シター及び走査線駆動回路に供給し、制御回路が、所定のフレームレートで電気光学パネ
ルを駆動する第１のモードにおいて、複数の画素素子に階調信号が供給されるときに、第
３のレギュレーターの電圧安定化能力を所定の水準に設定するように第３の切換回路を制
御し、所定のフレームレートよりも高いフレームレートで電気光学パネルを駆動する第２
のモードにおいて、複数の画素素子に階調信号が供給されるときに、第３のレギュレータ
ーの電圧安定化能力を所定の水準よりも高い水準に設定するように第３の切換回路を制御
するようにしても良い。それにより、第２のモードにおいて、電気光学パネルを駆動する
性能を高い水準に維持し、フレームレートが第２のモードよりも低い第１のモードにおい
て、駆動回路の消費電力を第２のモードよりも低減することができる。
【００１６】
さらに、複数の画素回路の各々が、複数のデータ線の内の１つのデータ線と複数の画素
素子の内の１つの画素素子との間に直列接続された複数のトランジスターを含み、走査線
駆動回路が、順次選択された画素行の画素回路の複数のトランジスターを同時にオン状態
に制御し、何れの画素行も選択されないときに、複数の画素行の画素回路の複数のトラン
ジスターを交互にオフ状態に制御するようにしても良い。それにより、画素回路の複数の
トランジスターのゲートストレスが緩和されるので、それらのトランジスターの閾値電圧
の変動を低減することができる。
【００１７】
本発明の第２の観点に係る駆動回路は、第１の走査線と、第２の走査線と、複数のデー
タ線と、第１及び第２の走査線と複数のデータ線との交差に対応して設けられた複数の画
素回路とを備え、複数の画素回路の各々が、画素電極と、共通電極と、複数のデータ線の
内の１つのデータ線に電気的に接続されて第１の走査線で制御される第１のトランジスタ
ーと、第１のトランジスターと画素電極との間に電気的に接続されて第２の走査線で制御
される第２のトランジスターとを含む、電気光学パネルを駆動する駆動回路であって、複
数のデータ線に階調信号を供給するデータ線駆動回路と、データ線駆動回路に電源電圧を
供給する第１の電圧生成回路と、第１及び第２の走査線に走査信号を供給する走査線駆動
回路と、走査線駆動回路に電源電圧を供給する第２の電圧生成回路とを備え、第１のトラ
ンジスターと第２のトランジスターとを交互にオフ状態とする第１の期間においては、第
１の電圧生成回路を停止させて第２の電圧生成回路を動作させ、第１のトランジスターと
第２のトランジスターとを同時にオン状態とする第２の期間においては、第１の電圧生成
回路及び第２の電圧生成回路を動作させる。
【００１８】
本発明の第２の観点によれば、第１のトランジスターと第２のトランジスターとを交互
にオフ状態とする第１の期間において、データ線駆動回路に電源電圧を供給する第１の電
圧生成回路が停止するので、電気光学パネルに直前の画像を表示しながら消費電力を低減
することができる。
【００１９】
本発明の第３の観点に係る電子機器は、上記いずれかの駆動回路と、駆動回路によって
駆動される電気光学パネルとを備える。本発明の第３の観点によれば、電気光学パネルを
駆動する性能を低下させることなく消費電力を低減できる駆動回路を用いて、良好な画質
を維持しながら消費電力が低減された電子機器を提供することができる。
【図面の簡単な説明】
【００２０】
【図１】本発明の一実施形態に係る駆動回路の構成例を示すブロック図。
【図２】図１に示す電圧生成回路の構成例を示す回路図。
【図３】ＬＣＤパネルの画素回路の構成例を示す回路図。
【図４】図１に示すソース線駆動回路の構成例を示す回路図。
【図５】図１に示すゲート線駆動回路の構成例を示す回路図。
【図６】図１に示す駆動回路の第１の動作例を示すタイミングチャート。
【図７】図１に示す駆動回路の第２の動作例を示すタイミングチャート。
【図８】本発明の一実施形態に係る電子機器の構成例を示すブロック図。
【発明を実施するための形態】
【００２１】
以下、本発明の実施形態について、図面を参照しながら詳細に説明する。なお、同一の
構成要素には同一の参照符号を付して、重複する説明を省略する。
＜駆動回路＞
図１は、本発明の一実施形態に係る駆動回路の構成例を示すブロック図である。駆動回
路１００は、外部から高電位側の電源電位ＶＤＤ及び低電位側の電源電位ＶＳＳが供給さ
れて動作し、ＬＣＤ（液晶表示）パネルや有機ＥＬ（エレクトロルミネッセンス）パネル
等の電気光学パネルを駆動する。図１には、電源電位ＶＳＳが接地電位（０Ｖ）である場
合が示されている。電源電位ＶＤＤは、例えば、３．３Ｖである。
【００２２】
図１に示すように、駆動回路１００は、ソース線駆動回路（データ線駆動回路ともいう
）１０と、ゲート線駆動回路（走査線駆動回路ともいう）２０と、複数のレギュレーター
３１〜３３と、昇圧回路４０と、複数の電圧生成回路５１〜５７と、インターフェース（
Ｉ／Ｆ）６０と、制御回路７０と、ＲＡＭ（ランダムアクセス・メモリー）８０とを含ん
でいる。
【００２３】
図１には、駆動回路１００が１つの半導体装置（表示ドライバーＩＣ）に内蔵されてい
る例が示されているが、駆動回路１００の少なくとも一部は、複数のディスクリート部品
又は他のＩＣで構成されても良い。また、駆動回路１００と電源電位ＶＳＳの配線との間
には、昇圧用キャパシターＣ１１、Ｃ１２、・・・、及び、平滑用キャパシターＣ２１〜
Ｃ４８が接続されている。
【００２４】
以下においては、電気光学パネルとして、複数のＴＦＴが設けられたＬＣＤパネルを用
いる場合について説明する。駆動回路１００は、複数行に配置された複数のゲート線（走
査線ともいう）と、複数列に配置された複数のソース線（データ線ともいう）と、複数の
ゲート線と複数のソース線との交差に対応して設けられ、複数の画素素子をそれぞれ含む
複数の画素回路とを備えるＬＣＤパネルを駆動する。ソース線駆動回路１０は、複数の画
素回路に接続された複数のソース線に階調信号を供給し、ゲート線駆動回路２０は、複数
の画素回路に接続された複数のゲート線に走査信号を供給する。
【００２５】
レギュレーター３１〜３３は、電源電圧（ＶＤＤ−ＶＳＳ）を安定化して、安定化され
た電源電圧ＶＤＤＬ、ＶＲＥＧ、及び、ＶＬＤＯをそれぞれ生成する。平滑用キャパシタ
ーＣ３１〜Ｃ３３は、電源電圧ＶＤＤＬ、ＶＲＥＧ、及び、ＶＬＤＯをそれぞれ平滑化す
る。電源電圧ＶＤＤＬは、駆動回路１００内のロジック回路に供給される。電源電圧ＶＲ
ＥＧは、駆動回路１００における基準電圧として用いられる。電源電圧ＶＬＤＯは、昇圧
回路４０に供給されて、昇圧の元になる電源電圧として用いられる。
【００２６】
昇圧回路４０は、複数のチャージポンプ回路を含んでいる。それらのチャージポンプ回
路は、制御回路７０から供給される昇圧クロック信号に従って、昇圧用キャパシターＣ１
１、Ｃ１２、・・・を用いて昇圧動作を行う。例えば、昇圧回路４０は、電源電圧（ＶＤ
Ｄ−ＶＳＳ）又はレギュレーター３３から供給される電源電圧ＶＬＤＯを正極性又は逆極
性で昇圧（又は降圧）することにより、複数の電源電圧を生成して電圧生成回路５１〜５
７にそれぞれ供給する。
【００２７】
電圧生成回路５１は、昇圧回路４０から供給される電源電圧を安定化して、安定化され
た電源電圧ＶＤＨ（例えば、＋５Ｖ）を平滑用キャパシターＣ４１及びソース線駆動回路
１０に供給する。電圧生成回路５２は、昇圧回路４０から供給される電源電圧を安定化し
て、安定化された電源電圧ＶＤＬ（例えば、−５Ｖ）を平滑用キャパシターＣ４２及びソ
ース線駆動回路１０に供給する。
【００２８】
電圧生成回路５３は、昇圧回路４０から供給される電源電圧を安定化して、安定化され
た電源電圧ＶＣＯＭ（例えば、−０．４Ｖ）を平滑用キャパシターＣ４３及びＬＣＤパネ
ルの共通電極（コモン電極）に供給する。電圧生成回路５４は、昇圧回路４０から供給さ
れる電源電圧を安定化して、安定化された電源電圧ＶＧＭ（例えば、＋７Ｖ）を平滑用キ
ャパシターＣ４４及びゲート線駆動回路２０に供給する。
【００２９】
電圧生成回路５５は、昇圧回路４０から供給される電源電圧を安定化して、安定化され
た電源電圧ＶＯＮＲＥＧを平滑用キャパシターＣ４５及び昇圧回路４０に供給する。昇圧
回路４０は、電圧生成回路５５から供給される電源電圧ＶＯＮＲＥＧを昇圧することによ
り、昇圧された電源電圧ＶＧＨ（例えば、＋１５Ｖ）を生成して平滑用キャパシターＣ２
１及びゲート線駆動回路２０に供給する。
【００３０】
電圧生成回路５６は、昇圧回路４０から供給される電源電圧を安定化して、安定化され
た電源電圧ＶＯＦＲＥＧを平滑用キャパシターＣ４６及び昇圧回路４０に供給する。昇圧
回路４０は、電圧生成回路５６から供給される電源電圧ＶＯＦＲＥＧを昇圧することによ
り、電源電圧ＶＧＬ（例えば、−１０Ｖ）を生成して平滑用キャパシターＣ２２及びゲー
ト線駆動回路２０に供給する。
【００３１】
電圧生成回路５７は、昇圧回路４０から供給される複数の電源電圧を安定化して、安定
化された電源電圧ＶＧＰを平滑用キャパシターＣ４７及びソース線駆動回路１０に供給す
ると共に、安定化された電源電圧ＶＧＮを平滑用キャパシターＣ４８及びソース線駆動回
路１０に供給する。
【００３２】
ここで、電源電圧ＶＧＰ及びＶＧＮは、γ（ガンマ）補正された中間階調を有する複数
の階調信号を生成するために用いられる複数の電源電圧ＶＧＰ１、ＶＧＰ２、・・・、及
び、複数の電源電圧ＶＧＮ１、ＶＧＮ２、・・・を表している。それらの電源電圧の数は
、画像データのビット数に応じて定められる。
【００３３】
従って、平滑用キャパシターＣ４７は、複数の電源電圧ＶＧＰ１、ＶＧＰ２、・・・を
平滑化する複数の平滑用キャパシターを表しており、平滑用キャパシターＣ４８は、複数
の電源電圧ＶＧＰ１、ＶＧＰ２、・・・を平滑化する複数の平滑用キャパシターを表して
いる。
【００３４】
インターフェース６０は、例えば、外部のホストコントローラーとの間で通信を行うこ
とにより、ホストコントローラーから画像データ、タイミングパラメーター、及び、各種
の制御信号等を入力する。制御回路７０は、組み合わせ回路又は順序回路を含む論理回路
（ロジック回路）で構成され、ホストコントローラーから供給されるタイミングパラメー
ター等を格納するレジスター７１を含んでいる。
【００３５】
制御回路７０は、レジスター７１に格納されているタイミングパラメーターに従って、
駆動回路１００の動作タイミングを設定して駆動回路１００の各部を制御する。また、制
御回路７０は、ホストコントローラーから供給される画像データを処理してＲＡＭ８０に
一時的に格納する。
【００３６】
＜電圧生成回路＞
図２は、図１に示す電圧生成回路の構成例を示す回路図である。図２には、一例として
、図１に示す電圧生成回路５１が示されている。電圧生成回路５１は、昇圧回路４０から
ノードＮ１に供給される電源電圧を安定化して、安定化された電源電圧ＶＤＨを平滑用キ
ャパシターＣ４１及びソース線駆動回路１０（図１）に供給するレギュレーターと、レギ
ュレーターを構成する複数の回路素子の接続状態を切り換える切換回路とを含んでいる。
【００３７】
レギュレーターは、参照電圧ＶＲＥＦ１とレギュレーターの出力電圧（電源電圧ＶＤＨ
）との差を増幅するための差動増幅回路９０を含んでいる。差動増幅回路９０は、差動対
を構成するＮチャネルＭＯＳトランジスターＱＮ９１及びＱＮ９２と、カレントミラー回
路を構成するＰチャネルＭＯＳトランジスターＱＰ９１及びＱＰ９２とを含んでいる。
【００３８】
トランジスターＱＮ９１及びＱＮ９２のソースは、ノードＮ２において互いに接続され
ている。トランジスターＱＰ９１は、ノードＮ１に接続されたソースと、トランジスター
ＱＮ９１のドレインに接続されたドレイン及びゲートとを有している。トランジスターＱ
Ｐ９２は、ノードＮ１に接続されたソースと、トランジスターＱＮ９２のドレインに接続
されたドレインと、トランジスターＱＰ９１のドレイン及びゲートに接続されたゲートと
を有している。トランジスターＱＮ９２のドレインとトランジスターＱＰ９２のドレイン
との接続点であるノードＮ３において、差動増幅回路９０の出力信号が生成される。
【００３９】
また、レギュレーターは、差動増幅回路９０に定電流を供給するための複数の定電流ト
ランジスター（図２には、一例として、ＮチャネルＭＯＳトランジスターＱＮ９３〜ＱＮ
９５を示す）を含んでいる。トランジスターＱＮ９３〜ＱＮ９５の各々は、ＮチャネルＭ
ＯＳトランジスターＱＮ９６とカレントミラー回路を構成している。
【００４０】
トランジスターＱＮ９３〜ＱＮ９５の各々は、トランジスターＱＮ９６のドレイン及び
ゲートに接続されたゲートと、電源電位ＶＳＳの配線に接続されたソースとを有している
。トランジスターＱＮ９６は、定電流源ＩＢを介してノードＮ１に接続されたドレイン及
びゲートと、電源電位ＶＳＳの配線に接続されたソースとを有している。
【００４１】
定電流源ＩＢがトランジスターＱＮ９６に定電流を流すと、トランジスターＱＮ９３〜
ＱＮ９５にも定電流が流れる。ここで、トランジスターＱＮ９６とトランジスターＱＮ９
３〜ＱＮ９５とのサイズ（チャネル幅又はチャネル長）の比に従って、トランジスターＱ
Ｎ９３〜ＱＮ９５が供給する定電流の値を設定することができる。以下においては、トラ
ンジスターＱＮ９３のチャネル幅＞トランジスターＱＮ９４のチャネル幅＞トランジスタ
ーＱＮ９５のチャネル幅の関係があり、トランジスターＱＮ９３〜ＱＮ９５のチャネル長
が同一であるものとする。
【００４２】
さらに、レギュレーターは、差動増幅回路９０の出力信号に従ってレギュレーターの出
力電圧を生成するための複数の出力トランジスター（図２には、一例として、Ｐチャネル
ＭＯＳトランジスターＱＰ９３〜ＱＰ９５を示す）を含んでいる。ここで、トランジスタ
ーＱＰ９３〜ＱＰ９５のサイズ（チャネル幅又はチャネル長）に従って、トランジスター
ＱＰ９３〜ＱＰ９５の電流供給能力を設定することができる。以下においては、トランジ
スターＱＰ９３のチャネル幅＞トランジスターＱＰ９４のチャネル幅＞トランジスターＱ
Ｐ９５のチャネル幅の関係があり、トランジスターＱＰ９３〜ＱＰ９５のチャネル長が同
一であるものとする。
【００４３】
トランジスターＱＰ９３〜ＱＰ９５の各々は、ノードＮ３に接続されたゲートと、ノー
ドＮ４に接続されたドレインとを有している。ノードＮ４において、レギュレーターの出
力電圧が生成される。また、ノードＮ４と電源電位ＶＳＳの配線との間には、スイッチ回
路ＳＷ１０及び抵抗Ｒ１が直列接続されている。駆動回路１００がシャットダウンされる
際に、図１に示す制御回路７０から供給される制御信号に従ってスイッチ回路ＳＷ１０が
オン状態となり、平滑用キャパシターＣ４１に充電されていた電荷が放電される。
【００４４】
図２に示す例において、切換回路は、差動増幅回路９０に定電流を供給する定電流トラ
ンジスターの数を選択する第１の選択回路９１と、レギュレーターの出力電圧を生成する
出力トランジスターの数を選択する第２の選択回路９２とを含んでいる。それにより、レ
ギュレーターの電圧安定化能力を複数の水準の内のいずれかに設定し、又は、レギュレー
ターの動作を停止することができる。
【００４５】
また、切換回路は、レギュレーターの入力電圧をミュートする第３の選択回路９３をさ
らに含んでも良い。第３の選択回路９３は、例えば、複数のアナログスイッチで構成され
るセレクターＳ３１及びＳ３２を含んでいる。セレクターＳ３１は、参照電圧ＶＲＥＦ１
と電源電位ＶＳＳとの内の一方を選択してレギュレーターの非反転入力端子（トランジス
ターＱＮ９２のゲート）に印加する。セレクターＳ３２は、レギュレーターの出力電圧と
電源電位ＶＳＳとの内の一方を選択してレギュレーターの反転入力端子（トランジスター
ＱＮ９１のゲート）に印加する。
【００４６】
制御回路７０は、レギュレーターを動作させるときに、参照電圧ＶＲＥＦ１及びレギュ
レーターの出力電圧をそれぞれ選択するようにセレクターＳ３１及びＳ３２を制御する。
それにより、参照電圧ＶＲＥＦ１がレギュレーターの非反転入力端子に供給されると共に
、レギュレーターの出力電圧が反転入力端子にフィードバックされる。従って、レギュレ
ーターは、負荷が変動しても出力電圧が参照電圧ＶＲＥＦ１と略等しくなるように出力電
圧を制御する。
【００４７】
第１の選択回路９１は、ノードＮ２とトランジスターＱＮ９３〜ＱＮ９５のドレインと
の間にそれぞれ接続されたスイッチ回路ＳＷ１１〜ＳＷ１３を含んでいる。スイッチ回路
ＳＷ１１〜ＳＷ１３の各々は、例えば、ＮチャネルＭＯＳトランジスター又はアナログス
イッチで構成される。スイッチ回路ＳＷ１１〜ＳＷ１３は、図１に示す制御回路７０から
供給される３つの制御信号に従ってオン状態又はオフ状態となる。
【００４８】
例えば、制御回路７０は、レギュレーターの電圧安定化能力を第１の水準に設定すると
きに、スイッチ回路ＳＷ１１のみをオン状態に制御しても良い。それにより、トランジス
ターＱＮ９３が差動増幅回路９０に定電流を供給し、差動増幅回路９０が、参照電圧ＶＲ
ＥＦ１とレギュレーターの出力電圧との差を増幅して出力信号を生成する。トランジスタ
ーＱＮ９３のチャネル幅は最大であるので、差動増幅回路９０に大きな定電流が供給され
る。それにより、差動増幅回路９０の応答速度、即ち、負荷変動に対する追従性能が高く
なるので、レギュレーターの電圧安定化能力が高くなる。
【００４９】
また、制御回路７０は、レギュレーターの電圧安定化能力を第１の水準よりも低い第２
の水準に設定するときに、スイッチ回路ＳＷ１２のみをオン状態に制御し、レギュレータ
ーの電圧安定化能力を第２の水準よりも低い第３の水準に設定するときに、スイッチ回路
ＳＷ１３のみをオン状態に制御しても良い。
【００５０】
さらに、制御回路７０がスイッチ回路ＳＷ１１〜ＳＷ１３をオフ状態に制御すれば、差
動増幅回路９０に定電流が供給されなくなり、レギュレーターが電圧制御動作を停止する
。その際に、制御回路７０は、電源電位ＶＳＳを選択するように第３の選択回路９３のセ
レクターＳ３１及びＳ３２を制御しても良い。それにより、差動増幅回路９０の各部の電
位が安定する。
【００５１】
第２の選択回路９２は、ノードＮ１とノードＮ３との間に接続されたスイッチ回路ＳＷ
２０と、ノードＮ１とトランジスターＱＰ９３及びＱＰ９４のソースとの間にそれぞれ接
続されたスイッチ回路ＳＷ２１及びＳＷ２２とを含んでいる。スイッチ回路ＳＷ２０〜Ｓ
Ｗ２２の各々は、例えば、ＰチャネルＭＯＳトランジスター又はアナログスイッチで構成
される。スイッチ回路ＳＷ２０〜ＳＷ２２は、図１に示す制御回路７０から供給される３
つの制御信号に従ってオン状態又はオフ状態となる。なお、トランジスターＱＰ９５のソ
ースは、スイッチ回路を介さずにノードＮ１に直接接続されている。
【００５２】
例えば、制御回路７０は、レギュレーターの電圧安定化能力を第１の水準に設定すると
きに、スイッチ回路ＳＷ２０をオフ状態に制御してスイッチ回路ＳＷ２１及びＳＷ２２を
オン状態に制御しても良い。その場合には、トランジスターＱＰ９３及びＱＰ９４のソー
スがノードＮ１に電気的に接続されて、トランジスターＱＰ９３〜ＱＰ９５が、差動増幅
回路９０の出力信号に従ってレギュレーターの出力電圧を生成する。それにより、出力段
の電流供給能力、即ち、負荷変動に対する追従性能が高くなるので、レギュレーターの電
圧安定化能力が高くなる。
【００５３】
また、制御回路７０は、レギュレーターの電圧安定化能力を第１の水準よりも低い第２
の水準に設定するときに、スイッチ回路ＳＷ２２のみをオン状態に制御し、レギュレータ
ーの電圧安定化能力を第２の水準よりも低い第３の水準に設定するときに、スイッチ回路
ＳＷ２０〜ＳＷ２２をオフ状態に制御しても良い。
【００５４】
さらに、スイッチ回路ＳＷ２０をオン状態に制御すると、トランジスターＱＰ９３〜Ｑ
Ｐ９５のゲートにノードＮ１の電源電圧が印加されて、トランジスターＱＰ９３〜ＱＰ９
５がカットオフする。それにより、レギュレーターの出力動作が停止して、電圧生成回路
５１の出力端子がハイインピーダンス状態となる。その場合でも、平滑用キャパシターＣ
４１に電荷が充電されているので、ソース線駆動回路１０（図１）に電流が流れなければ
、電圧生成回路５１の出力電圧が維持される。
【００５５】
同様に、図１に示す電圧生成回路５３は、昇圧回路４０から供給される電源電圧を安定
化して、安定化された電源電圧ＶＣＯＭを平滑用キャパシターＣ４３（第２の平滑用キャ
パシター）及びＬＣＤパネルの共通電極に供給するレギュレーター（第２のレギュレータ
ー）と、そのレギュレーターを構成する複数の回路素子の接続状態を切り換える切換回路
（第２の切換回路）とを含んでいる。
【００５６】
また、図１に示す電圧生成回路５５及び５６の各々は、昇圧回路４０から供給される電
源電圧を安定化して、安定化された電源電圧ＶＯＮＲＥＧ又はＶＯＦＲＥＧを平滑用キャ
パシターＣ４５又はＣ４６（第３の平滑用キャパシター）及び昇圧回路４０に供給するレ
ギュレーター（第３のレギュレーター）と、そのレギュレーターを構成する複数の回路素
子の接続状態を切り換える切換回路（第３の切換回路）とを含んでいる。
【００５７】
昇圧回路４０は、電圧生成回路５５のレギュレーターによって安定化された電源電圧Ｖ
ＯＮＲＥＧを昇圧して、昇圧された電源電圧ＶＧＨを平滑用キャパシターＣ２１（第４の
平滑用キャパシター）及びゲート線駆動回路２０に供給する。また、昇圧回路４０は、電
圧生成回路５６のレギュレーターによって安定化された電源電圧ＶＯＦＲＥＧを昇圧して
、昇圧された電源電圧ＶＧＬを平滑用キャパシターＣ２２（第４の平滑用キャパシター）
及びゲート線駆動回路２０に供給する。
【００５８】
図１に示す電圧生成回路５４及び５５の構成は、図２に示す電圧生成回路５１の構成と
同様でも良い。一方、電圧生成回路５２、５３、及び、５６の構成は、図２に示すような
電圧生成回路５１の構成において、プラスの電源電圧に替えてマイナスの電源電圧を安定
化するために、ＰチャネルＭＯＳトランジスターとＮチャネルＭＯＳトランジスターとを
入れ替えたものとなる。また、電圧生成回路５７は、画像データのビット数に応じて、プ
ラスの電源電圧を安定化する複数組のレギュレーター及び切換回路と、マイナスの電源電
圧を安定化する複数組のレギュレーター及び切換回路とを含んでいる。
【００５９】
＜画素回路＞
図３は、ＬＣＤパネルの画素回路の構成例を示す回路図である。ＬＣＤパネルにおいて
は、アクティブマトリクス方式の複数の画素回路１０１が、２次元マトリクス状に配置さ
れている。図３に示す例においては、各々の画素回路１０１が、等価的にキャパシターと
して表される画素素子（液晶画素）Ｃ０と、複数のソース線の内の１つのソース線Ｓ（ｍ
）と画素素子Ｃ０との間に接続されたスイッチ回路１０２と、画素素子Ｃ０に並列接続さ
れた保持容量Ｃ１とを含んでいる。
【００６０】
画素素子Ｃ０は、スイッチ回路１０２を介してソース線Ｓ（ｍ）に接続された画素電極
と、画素電極に対向して電源電圧ＶＣＯＭが供給される共通電極とを有している。スイッ
チ回路１０２は、ソース線Ｓ（ｍ）と画素電極との間に直列接続された複数の薄膜トラン
ジスター（図３においては、一例として、第１のＮチャネルＭＯＳトランジスターＱＮ１
及び第２のＮチャネルＭＯＳトランジスターＱＮ２を示す）で構成される。
【００６１】
保持容量Ｃ１としては、トランジスターや配線の寄生容量を用いても良い。なお、ＬＣ
Ｄパネルの替りに有機ＥＬパネル等が用いられる場合には、画素回路１０１が、画素素子
として有機発光ダイオード等の発光素子と、発光素子を駆動する駆動トランジスター等と
を含むことになる。
【００６２】
一般に、薄膜トランジスター（ＴＦＴ）のゲート・ソース間に一定のバイアス電圧を印
加し続けると、それがゲートストレスとなってＴＦＴの閾値電圧が変動することが知られ
ている。スイッチ回路１０２においてＴＦＴの閾値電圧が変動すると、スイッチ回路１０
２をオフ状態とすべき場合においても、リーク電流が流れたり、スイッチ回路１０２が完
全にオフ状態とならないおそれがある。一方、ゲートバイアスによって変動した閾値電圧
は、そのバイアス極性とは逆極性のバイアス電圧を印加することによって初期特性に復帰
することも知られている。
【００６３】
そこで、画素回路１０１においては、スイッチ回路１０２が、直列接続された複数のト
ランジスターＱＮ１及びＱＮ２を含んでいる。トランジスターＱＮ１は、ソース線Ｓ（ｍ
）に電気的に接続されて、第１のゲート線Ｇ１（ｎ）に接続されたゲートを有し、第１の
ゲート線Ｇ１（ｎ）で制御される。トランジスターＱＮ２は、トランジスターＱＮ１と画
素素子Ｃ０の画素電極との間に電気的に接続されて、第２のゲート線Ｇ２（ｎ）に接続さ
れたゲートを有し、第２のゲート線Ｇ２（ｎ）で制御される。
【００６４】
スイッチ回路１０２は、トランジスターＱＮ１及びＱＮ２の両方がオン状態となったと
きに、ソース線Ｓ（ｍ）に供給される階調信号を画素素子Ｃ０の画素電極に伝送する。ま
た、スイッチ回路１０２は、トランジスターＱＮ１及びＱＮ２の内の少なくとも一方がオ
フ状態となったときに、ソース線Ｓ（ｍ）から画素素子Ｃ０の画素電極を電気的に分離す
る。
【００６５】
例えば、図１に示すゲート線駆動回路２０は、順次選択されたライン（画素行）の画素
回路１０１のトランジスターＱＮ１及びＱＮ２を同時にオン状態に制御する。一方、ゲー
ト線駆動回路２０は、何れの画素行も選択されないときに、複数の画素行の画素回路１０
１のトランジスターＱＮ１及びＱＮ２を交互にオフ状態に制御する。
【００６６】
それにより、画素回路１０１のトランジスターＱＮ１及びＱＮ２のゲートストレスが緩
和されるので、トランジスターＱＮ１及びＱＮ２の閾値電圧の変動を低減することができ
る。なお、トランジスターＱＮ１及びＱＮ２を交互にオフ状態に制御する場合に、一部の
期間においてトランジスターＱＮ１及びＱＮ２の両方がオフ状態となっても良い。
【００６７】
＜ソース線駆動回路＞
図４は、図１に示すソース線駆動回路の構成例を示す回路図である。図４においては、
ＬＣＤパネルにおける１つのソース線Ｓ（ｍ）に階調信号を供給するための構成が示され
ている。ソース線駆動回路１０は、ＰチャネルＭＯＳトランジスターＱＰ１０〜ＱＰ１３
と、ＮチャネルＭＯＳトランジスターＱＮ１０〜ＱＮ１３と、デコーダー１１とを含んで
いる。ソース線駆動回路１０において用いられるトランジスターの数は、画像データのビ
ット数に応じて決定される。
【００６８】
例えば、トランジスターＱＰ１０のソースには、電源電圧ＶＤＨが供給され、トランジ
スターＱＰ１１のソースには、電源電圧ＶＧＰ１が供給され、トランジスターＱＰ１２の
ソースには、電源電圧ＶＧＰ２が供給され、トランジスターＱＰ１３のソースには、電源
電位ＶＳＳが供給される。トランジスターＱＰ１０〜ＱＰ１３のドレインは、ソース線Ｓ
（ｍ）に接続されている。
【００６９】
また、トランジスターＱＮ１０のソースには、電源電圧ＶＤＬが供給され、トランジス
ターＱＮ１１のソースには、電源電圧ＶＧＮ１が供給され、トランジスターＱＮ１２のソ
ースには、電源電圧ＶＧＮ２が供給され、トランジスターＱＮ１３のソースには、電源電
位ＶＳＳが供給される。トランジスターＱＮ１０〜ＱＮ１３のドレインは、ソース線Ｓ（
ｍ）に接続されている。
【００７０】
デコーダー１１は、ＲＡＭ８０（図１）から順次読み出される画像データをデコードす
ることにより、複数の電源電圧ＶＤＨ、ＶＧＰ１、ＶＧＰ２、・・・、ＶＧＮ２、ＶＧＮ
１、及び、ＶＤＬの内の１つを選択するための複数の制御信号を生成して、トランジスタ
ーＱＰ１０〜ＱＰ１３及びＱＮ１０〜ＱＮ１３のゲートにそれぞれ供給する。それにより
、ソース線駆動回路１０は、画像データに従って、複数の電源電圧の内の１つを選択し、
選択された電源電圧を階調信号としてソース線Ｓ（ｍ）に供給する。
【００７１】
ＬＣＤパネルに直流電圧を印加し続けると特性が劣化するので、ソース線駆動回路１０
は、制御回路７０から供給される制御信号に従って、画素素子Ｃ０（図３）に印加される
電圧の極性を周期的に反転させる。例えば、フレーム（又はフィールド）毎に電圧の極性
を反転するフレーム反転方式と、ライン毎に電圧の極性を反転するライン反転方式と、画
素毎に電圧の極性を反転するドット反転方式との内のいずれかが用いられる。
【００７２】
＜ゲート線駆動回路＞
図５は、図１に示すゲート線駆動回路の構成例を示す回路図である。図５においては、
ＬＣＤパネルにおける第１のゲート線Ｇ１（ｎ）及び第２のゲート線Ｇ２（ｎ）に走査信
号を供給するための構成が示されている。ゲート線駆動回路２０は、ＰチャネルＭＯＳト
ランジスターＱＰ２１及びＱＰ２２と、ＮチャネルＭＯＳトランジスターＱＮ２１〜ＱＮ
２４と、セレクターＳ２０と、デコーダー２１とを含んでいる。セレクターＳ２０は、例
えば、複数のＰチャネルＭＯＳトランジスターで構成される。
【００７３】
デコーダー２１は、複数のラインを順次選択するときに、電源電圧ＶＧＨを選択するよ
うにセレクターＳ２０を制御する。それにより、トランジスターＱＰ２１及びＱＰ２２の
ソースに、電源電圧ＶＧＨが供給される。トランジスターＱＰ２１及びＱＰ２２のドレイ
ンは、第１のゲート線Ｇ１（ｎ）及び第２のゲート線Ｇ２（ｎ）にそれぞれ接続されてい
る。
【００７４】
トランジスターＱＮ２１及びＱＮ２２のソースには、電源電圧ＶＧＬが供給され、トラ
ンジスターＱＮ２１及びＱＮ２２のドレインは、第１のゲート線Ｇ１（ｎ）及び第２のゲ
ート線Ｇ２（ｎ）にそれぞれ接続されている。また、トランジスターＱＮ２３及びＱＮ２
４のソースには、電源電位ＶＳＳが供給され、トランジスターＱＮ２３及びＱＮ２４のド
レインは、第１のゲート線Ｇ１（ｎ）及び第２のゲート線Ｇ２（ｎ）にそれぞれ接続され
ている。
【００７５】
デコーダー２１は、例えば、シフトレジスターを含んでおり、制御回路７０から供給さ
れるラインクロック信号に同期して走査データをシフトすることにより、複数のラインを
順次選択する。順次選択されたラインに関して、デコーダー２１は、トランジスターＱＰ
２１及びＱＰ２２をオン状態に制御すると共に、トランジスターＱＮ２１〜ＱＮ２４をオ
フ状態に制御する。それにより、ゲート線駆動回路２０は、ハイレベル（電源電圧ＶＧＨ
）の走査信号を画素回路１０１のトランジスターＱＮ１及びＱＮ２（図３）のゲートに供
給して、トランジスターＱＮ１及びＱＮ２を同時にオン状態とする。
【００７６】
また、選択されていないラインに関して、例えば、デコーダー２１は、トランジスター
ＱＰ２１をオフ状態に制御すると共にトランジスターＱＮ２１をオン状態に制御するか、
又は、トランジスターＱＰ２２をオフ状態に制御すると共にトランジスターＱＮ２２をオ
ン状態に制御する。それにより、ゲート線駆動回路２０は、ローレベル（電源電圧ＶＧＬ
）の走査信号を画素回路１０１のトランジスターＱＮ１又はＱＮ２のゲートに供給して、
トランジスターＱＮ１又はＱＮ２をオフ状態とする。あるいは、ゲート線駆動回路２０は
、画素回路１０１のトランジスターＱＮ１及びＱＮ２を交互にオフ状態としても良い。
【００７７】
一方、デコーダー２１は、いずれのラインも選択しないときに、電源電圧ＶＧＨよりも
低い電源電圧ＶＧＭを選択するようにセレクターＳ２０を制御する。それにより、トラン
ジスターＱＰ２１及びＱＰ２２のソースに、電源電圧ＶＧＭが供給される。
【００７８】
また、デコーダー２１は、走査信号を第１のゲート線Ｇ１（ｎ）及び第２のゲート線Ｇ
２（ｎ）に供給するのに先立って、トランジスターＱＮ２３及びＱＮ２４を一時的にオン
状態に制御する。それにより、第１のゲート線Ｇ１（ｎ）及び第２のゲート線Ｇ２（ｎ）
に充電されていた電荷が電源電位ＶＳＳの配線に放電されるので、第１のゲート線Ｇ１（
ｎ）及び第２のゲート線Ｇ２（ｎ）に充電されていた電荷が電圧成回路５４（図１）に逆
流することを防止できる。
【００７９】
次に、デコーダー２１は、ＱＰ２１及びＱＮ２２をオン状態としてＱＰ２２及びＱＮ２
１をオフ状態にする期間と、ＱＰ２１及びＱＮ２２をオフ状態としてＱＰ２２及びＱＮ２
１をオン状態にする期間とを交互に繰り返す。それにより、ゲート線駆動回路２０は、中
間レベル（電源電圧ＶＧＭ）とローレベル（電源電圧ＶＧＬ）との間で逆相で変化する２
つの走査信号を画素回路１０１のトランジスターＱＮ１及びＱＮ２のゲートにそれぞれ供
給して、トランジスターＱＮ１及びＱＮ２を交互にオフ状態とする。これは、画素回路１
０１のトランジスターＱＮ１及びＱＮ２のゲートストレスを緩和するためである。
【００８０】
＜第１の動作例＞
図６は、図１に示す駆動回路の第１の動作例を示すタイミングチャートである。第１の
動作例においては、フレームスキャン期間Ｔａにおいて、駆動回路１００が、ＬＣＤパネ
ルの複数のラインを順次走査して、複数の画素回路１０１の画素素子Ｃ０及び保持容量Ｃ
１（図３）に階調信号を供給する。また、所定の期間（デストレス期間）Ｔｂにおいて、
駆動回路１００が、画素回路１０１に設けられたスイッチ回路１０２のトランジスターＱ
Ｎ１及びＱＮ２のゲートストレスを緩和しながら、複数の画素回路１０１に階調信号を保
持させる。
【００８１】
図６においては、フレームスキャン期間Ｔａとデストレス期間Ｔｂとの合計がフレーム
ユニットとして示されており、フレームユニット（フレーム周期）の逆数であるフレーム
レート（フレーム周波数）は、例えば、０．１Ｈｚ〜２Ｈｚの範囲内である。フレーム周
波数が１Ｈｚである場合に、フレームスキャン期間Ｔａを５０ｍｓとし、デストレス期間
Ｔｂを９５０ｍｓとしても良い。フレームスキャン期間Ｔａ及びデストレス期間Ｔｂを規
定するタイミングパラメーターは、レジスター７１に格納されている。
【００８２】
フレームスキャン期間Ｔａにおいて、制御回路７０は、複数の画素素子に階調信号が供
給されるときに、電圧生成回路５１〜５３及び５７においてレギュレーターの電圧安定化
能力を所定の水準に設定するように切換回路を制御する（図２参照）。電圧生成回路５１
及び５２は、電源電圧ＶＤＨ及びＶＤＬをソース線駆動回路１０にそれぞれ供給する。電
圧生成回路５３は、電源電圧ＶＣＯＭをＬＣＤパネルの共通電極に供給する。電圧生成回
路５７は、電源電圧ＶＧＰ及びＶＧＮをソース線駆動回路１０に供給する。ここで、電圧
生成回路５１、５２、及び、５７は、ソース線駆動回路１０に電源電圧を供給する第１の
電圧生成回路に該当する。
【００８３】
また、制御回路７０は、電圧生成回路５５及び５６においてレギュレーターの電圧安定
化能力を所定の水準に設定するように切換回路を制御する。電圧生成回路５５及び５６は
、電源電圧ＶＯＮＲＥＧ及びＶＯＦＲＥＧを昇圧回路４０にそれぞれ供給する。昇圧回路
４０は、電源電圧ＶＯＮＲＥＧ及びＶＯＦＲＥＧを昇圧して、昇圧された電源電圧ＶＧＨ
及びＶＧＬをゲート線駆動回路２０に供給する。ここで、電圧生成回路５６は、ゲート線
駆動回路２０に電源電圧を供給する第２の電圧生成回路に該当する。
【００８４】
また、制御回路７０は、電圧生成回路５４においてレギュレーターの電圧安定化能力を
所定の水準よりも低い水準に設定し、又は、レギュレーターの動作を停止するように切換
回路を制御する。電圧生成回路５４においてレギュレーターの動作が停止しても、負荷に
電流が流れないので、電源電圧ＶＧＭは、平滑用キャパシターＣ４４によって保持される
。さらに、制御回路７０は、昇圧された電源電圧を電圧生成回路５４に供給する昇圧回路
４０のチャージポンプ回路において昇圧動作に用いられる昇圧クロック信号の周波数を、
デストレス期間Ｔｂにおけるよりも低下させても良い。
【００８５】
フレームスキャン期間Ｔａにおいて、ゲート線駆動回路２０は、ＬＣＤパネルの複数の
ラインを順次走査して、順次選択されたラインに対応する２本のゲート線にハイレベル（
電源電圧ＶＧＨ）の走査信号を供給することにより、順次選択されたラインの画素回路１
０１のスイッチ回路１０２をオン状態とする。それにより、ソース線駆動回路１０から複
数のソース線を介して、順次選択されたラインの画素回路１０１の画素素子Ｃ０及び保持
容量Ｃ１に階調信号が供給される。
【００８６】
また、ゲート線駆動回路２０は、選択されないラインに対応する２本のゲート線の内の
少なくとも一方にローレベル（電源電圧ＶＧＬ）の走査信号を供給することにより、選択
されないラインの画素回路１０１のスイッチ回路１０２をオフ状態とする。それにより、
選択されないラインの画素回路１０１において、画素素子Ｃ０及び保持容量Ｃ１に供給さ
れた階調信号が保持される。
【００８７】
一方、デストレス期間Ｔｂにおいては、ゲート線駆動回路２０が、複数の画素回路１０
１のスイッチ回路１０２をオフ状態に維持するので、ＬＣＤパネルには直前の画像がその
まま表示される。従って、ソース線駆動回路１０は、複数の画素回路１０１の画素素子Ｃ
０に階調信号を供給しない。そこで、制御回路７０は、複数の画素素子Ｃ０に階調信号が
供給されないときに、電圧生成回路５１〜５３、５５、及び、５７においてレギュレータ
ーの電圧安定化能力を所定の水準よりも低い水準に設定し、又は、レギュレーターの動作
を停止するように切換回路を制御する。
【００８８】
電圧生成回路５１〜５３、５５、及び、５７においてレギュレーターの動作が停止して
も、負荷に電流が流れないので、電源電圧ＶＤＨ、ＶＤＬ、ＶＣＯＭ、ＶＯＮＲＥＧ、Ｖ
ＧＰ、ＶＧＮ、及び、ＶＧＨは、平滑用キャパシターＣ４１〜Ｃ４３、Ｃ４５、Ｃ４７、
Ｃ４８、及び、Ｃ２１によってそれぞれ保持される。
【００８９】
さらに、制御回路７０は、昇圧された電源電圧を電圧生成回路５１〜５３、５５、及び
、５７に供給する昇圧回路４０のチャージポンプ回路、及び、電源電圧ＶＧＨを生成する
昇圧回路４０のチャージポンプ回路において昇圧動作に用いられる昇圧クロック信号の周
波数を、フレームスキャン期間Ｔａにおけるよりも低下させても良い。
【００９０】
また、制御回路７０は、電圧生成回路５４及び５６においてレギュレーターの電圧安定
化能力を所定の水準に設定するように切換回路を制御する。電圧生成回路５４は、電源電
圧ＶＧＭをゲート線駆動回路２０に供給する。電圧生成回路５６は、電源電圧ＶＯＦＲＥ
Ｇを昇圧回路４０に供給する。昇圧回路４０は、電源電圧ＶＯＦＲＥＧを昇圧して、昇圧
された電源電圧ＶＧＬをゲート線駆動回路２０に供給する。
【００９１】
デストレス期間Ｔｂにおいて、ゲート線駆動回路２０は、中間レベル（電源電圧ＶＧＭ
）とローレベル（電源電圧ＶＧＬ）との間で逆相で変化する２つの走査信号を各組のゲー
ト線に供給する。それにより、複数のラインの画素回路１０１に設けられたスイッチ回路
１０２がオフ状態となる。
【００９２】
なお、フレームスキャン期間Ｔａ中であっても、フロントポーチ期間及びバックポーチ
期間においては、画素回路１０１のトランジスターＱＮ１及びＱＮ２のゲート及びソース
を駆動する必要がないので、ＬＣＤパネルの複数の画素回路１０１の画素素子Ｃ０に階調
信号が供給されない。
【００９３】
そこで、制御回路７０は、フロントポーチ期間及びバックポーチ期間において、例えば
、電圧生成回路５１〜５３及び５７においてレギュレーターの電圧安定化能力を階調信号
供給時よりも低い水準に設定し、又は、レギュレーターの動作を停止するように切換回路
を制御しても良い。
【００９４】
さらに、制御回路７０は、昇圧された電源電圧を電圧生成回路５１〜５３及び５７に供
給する昇圧回路４０のチャージポンプ回路、及び、電源電圧ＶＧＨ及びＶＧＬをそれぞれ
生成する昇圧回路４０の複数のチャージポンプ回路において昇圧動作に用いられる昇圧ク
ロック信号の周波数を、階調信号供給時よりも低下させても良い。
【００９５】
第１の動作例によれば、複数の画素素子Ｃ０に階調信号が供給されないときに、安定化
された電源電圧をソース線駆動回路１０に供給するレギュレーターの電圧安定化能力が階
調信号供給時よりも低い水準に設定され、又は、レギュレーターの動作が停止されるので
、ＬＣＤパネルを駆動する性能を低下させることなく消費電力を低減することができる。
【００９６】
また、複数の画素素子Ｃ０に階調信号が供給されないときに、安定化された電源電圧を
ＬＣＤパネルの共通電極に供給するレギュレーターの電圧安定化能力が階調信号供給時よ
りも低い水準に設定され、又は、レギュレーターの動作が停止されるので、ＬＣＤパネル
を駆動する性能を低下させることなく消費電力を低減することができる。
【００９７】
消費電力の低減効果を大きくするためには、デストレス期間Ｔｂが開始したら直ちにレ
ギュレーターの電圧安定化能力を所定の水準よりも低い水準に設定し、又は、レギュレー
ターの動作を停止することが望ましい。一方、過渡的応答を良くするためには、デストレ
ス期間Ｔｂが終了してフレームスキャン期間Ｔａが開始するタイミングの直前（例えば、
ドットクロック信号の１パルス前）に、レギュレーターの電圧安定化能力を所定の水準に
設定することが望ましい。
【００９８】
また、フロントポーチ期間又はバックポーチ期間が開始したら直ちにレギュレーターの
電圧安定化能力を所定の水準よりも低い水準に設定し、又は、レギュレーターの動作を停
止することが望ましい。一方、過渡的応答を良くするためには、フロントポーチ期間又は
バックポーチ期間が終了して画像の更新が開始するタイミングの直前（例えば、ドットク
ロック信号の１パルス前）に、レギュレーターの電圧安定化能力を所定の水準に設定する
ことが望ましい。
【００９９】
さらに、駆動回路１００は、画素回路１０１のトランジスターＱＮ１及びＱＮ２を交互
にオフ状態とする第１の期間においては、ソース線駆動回路１０に電源電圧を供給する第
１の電圧生成回路を停止させて、ゲート線駆動回路２０に電源電圧を供給する第２の電圧
生成回路を動作させ、トランジスターＱＮ１及びＱＮ２を同時にオン状態とする第２の期
間においては、第１の電圧生成回路及び第２の電圧生成回路を動作させるようにしても良
い。それにより、トランジスターＱＮ１及びＱＮ２を交互にオフ状態とする第１の期間に
おいて、ソース線駆動回路１０に電源電圧を供給する第１の電圧生成回路が停止するので
、ＬＣＤパネルに直前の画像を表示しながら消費電力を低減することができる。
【０１００】
＜第２の動作例＞
図７は、図１に示す駆動回路の第２の動作例を示すタイミングチャートである。第２の
動作例においては、図６に示すデストレス期間Ｔｂが設けられていないので、フレームス
キャン期間Ｔａがフレームユニットに相当する。
【０１０１】
フレームユニット（フレーム周期）の逆数であるフレームレート（フレーム周波数）は
、例えば、４０Ｈｚ〜６０Ｈｚの範囲内である。フレームスキャン期間Ｔａを規定するタ
イミングパラメーターは、図１に示すレジスター７１に格納されている。フレームスキャ
ン期間Ｔａにおいて、駆動回路１００は、ＬＣＤパネルの複数のラインを順次走査して、
複数の画素回路１０１（図３）に階調信号を供給する。
【０１０２】
また、制御回路７０は、図６に示すように所定のフレームレートでＬＣＤパネルを駆動
する第１のモード（低消費電力モード）と、図７に示すように所定のフレームレートより
も高いフレームレートでＬＣＤパネルを駆動する第２のモード（通常モード）とを切り換
えるようにしても良い。例えば、第１のモードにおいては、時刻表示等の画像がＬＣＤパ
ネルに表示され、第２のモードにおいては、ストップウォッチやスマートウォッチ等の画
像がＬＣＤパネルに表示される。
【０１０３】
その場合に、第１のモードにおいて、制御回路７０は、複数の画素素子Ｃ０（図３）に
階調信号が供給されるときに、電圧生成回路５１〜５３及び５７においてレギュレーター
の電圧安定化能力を所定の水準に設定するように切換回路を制御する。第２のモードにお
いて、制御回路７０は、複数の画素素子Ｃ０に階調信号が供給されるときに、電圧生成回
路５１〜５３及び５７においてレギュレーターの電圧安定化能力を所定の水準よりも高い
水準に設定するように切換回路を制御する。
【０１０４】
また、第１のモードにおいて、制御回路７０は、複数の画素素子Ｃ０に階調信号が供給
されるときに、電圧生成回路５５及び５６においてレギュレーターの電圧安定化能力を所
定の水準に設定するように切換回路を制御する。第２のモードにおいて、制御回路７０は
、複数の画素素子Ｃ０に階調信号が供給されるときに、電圧生成回路５５及び５６におい
てレギュレーターの電圧安定化能力を所定の水準よりも高い水準に設定するように切換回
路を制御する。
【０１０５】
このように、第１のモード（低消費電力モード）と第２のモード（通常モード）とを切
り換えることにより、第２のモードにおいて、ＬＣＤパネルを駆動する性能を高い水準に
維持し、フレームレートが第２のモードよりも低い第１のモードにおいて、駆動回路１０
０の消費電力を第２のモードよりも低減することができる。
【０１０６】
＜第３の動作例＞
上記の第１の動作例及び第２の動作例においては、駆動回路１００の動作タイミングに
応じてレギュレーターの電圧安定化能力が変更されるが、第３の動作例においては、電圧
生成回路の出力電圧をモニターすることにより、レギュレーターの電圧安定化能力が変更
される。
【０１０７】
例えば、電圧生成回路５１によって生成される電源電圧ＶＤＨを第１の閾値と比較する
第１のコンパレーターと、電源電圧ＶＤＨを第２の閾値と比較する第２のコンパレーター
とが、図１に示す駆動回路１００に設けられる。ここで、第１の閾値＜第２の閾値の関係
がある。制御回路７０は、電源電圧ＶＤＨが第１の閾値よりも小さいことを示す比較結果
信号を第１のコンパレーターから入力すると、電圧生成回路５１においてレギュレーター
の電圧安定化能力を所定の水準に設定するように切換回路を制御する。
【０１０８】
また、制御回路７０は、電源電圧ＶＤＨが第２の閾値よりも大きいことを示す比較結果
信号を第２のコンパレーターから入力すると、電圧生成回路５１においてレギュレーター
の電圧安定化能力を所定の水準よりも低い水準に設定し、又は、レギュレーターの動作を
停止するように切換回路を制御する。それにより、電圧生成回路５１は、第１の閾値及び
第２の閾値によって定まる範囲の電源電圧ＶＤＨを生成することができる。電圧生成回路
５２〜５７についても同様である。
【０１０９】
＜電子機器＞
次に、本発明の一実施形態に係る電子機器について説明する。
図８は、本発明の一実施形態に係る電子機器の構成例を示すブロック図である。図８に
は、電子機器の一例として、携帯電話機の構成が示されている。図８に示すように、携帯
電話機は、本発明の一実施形態に係る駆動回路１００と、電気光学パネル（図８には、一
例として、ＬＣＤパネル１００ａを示す）と、操作部１１０と、制御部１２０と、格納部
１３０と、音声入出力部１４０と、通信部１５０とを含み、バッテリー２００から電源電
圧が供給されて動作する。なお、図８に示す構成要素の一部を省略又は変更しても良いし
、あるいは、図８に示す構成要素に他の構成要素を付加しても良い。
【０１１０】
駆動回路１００は、図１に示すような昇圧用キャパシターＣ１１、Ｃ１２、・・・、及
び、平滑用キャパシターＣ２１〜Ｃ４８と共に、ＬＣＤパネル１００ａに実装されている
。駆動回路１００は、バッテリー２００から供給される電源電圧を昇圧及び安定化して複
数の電源電圧を生成し、制御部１２０から供給される画像データ等に基づいてＬＣＤパネ
ル１００ａを駆動することにより、ＬＣＤパネル１００ａに画像を表示させる。
【０１１１】
操作部１１０は、例えば、ボタンスイッチ又はタッチセンサー等を含む入力装置であり
、ユーザーによる操作に応じた操作信号を制御部１２０に出力する。制御部１２０は、例
えば、ＣＰＵを含み、プログラムに従って各種の信号処理や制御処理を実行する。例えば
、制御部１２０は、操作部１１０から供給される操作信号に応じて、画像データや音声デ
ータの処理を行うと共に、外部との間で通信を行うために通信部１５０を制御する。
【０１１２】
格納部１３０は、例えば、ＲＯＭ（リードオンリー・メモリー）と、ＲＡＭ（ランダム
アクセス・メモリー）とを含んでいる。ＲＯＭは、ＣＰＵが各種の信号処理や制御処理を
実行するためのプログラムやデータ等を格納している。また、ＲＡＭは、ＣＰＵの作業領
域として用いられ、ＲＯＭから読み出されたプログラムやデータ、操作部１１０を用いて
入力されたデータ、又は、ＣＰＵがプログラムに従って実行した演算結果等を一時的に格
納する。
【０１１３】
音声入出力部１４０は、例えば、マイクロフォン及びＡＤＣ（アナログ／デジタル変換
器）と、ＤＡＣ（デジタル／アナログ変換器）及びスピーカー等とを含んでいる。マイク
ロフォンは、印加される音波に応じた音声信号を出力し、ＡＤＣは、マイクロフォンから
出力されるアナログ音声信号を音声データに変換して制御部１２０に供給する。また、Ｄ
ＡＣは、制御部１２０から供給される音声データをアナログ音声信号に変換してスピーカ
ーに供給し、スピーカーは、ＤＡＣから供給される音声信号に基づいて音波を発生する。
【０１１４】
通信部１５０は、例えば、アナログ回路及びデジタル回路で構成される。通信部１５０
は、移動体電話回線網に接続されたセルラー基地局との間で無線通信を行うことにより、
制御部１２０から供給される音声データをセルラー基地局に送信し、セルラー基地局から
受信される音声データを制御部１２０に供給する。その際に、制御部１２０は、音声入出
力部１４０のＡＤＣから供給される音声データを処理して通信部１５０に供給し、通信部
１５０から供給される音声データを処理して音声入出力部１４０に供給する。
【０１１５】
また、通信部１５０は、インターネットに接続された無線アクセスポイントとの間で無
線通信を行うことにより、無線アクセスポイントから受信される画像データ及び音声デー
タを制御部１２０に供給する。その際に、制御部１２０は、通信部１５０から供給される
画像データを処理して駆動回路１００に出力すると共に、通信部１５０から供給される音
声データを処理して音声入出力部１４０に出力する。
【０１１６】
電子機器としては、携帯電話機以外にも、例えば、携帯情報端末等の携帯機器、置時計
等の時計、タイマー、オーディオ機器、デジタルスチルカメラ、デジタルムービー、ヘッ
ドマウント・ディスプレイ、パーソナルコンピューター、車載装置（ナビゲーション装置
等）、電卓、電子辞書、電子ゲーム機器、ロボット、測定機器、及び、医療機器（例えば
、電子体温計、血圧計、血糖計、心電図計測装置、超音波診断装置、及び、電子内視鏡）
等が該当する。
【０１１７】
本実施形態によれば、ＬＣＤパネル１００ａを駆動する性能を低下させることなく消費
電力を低減できる駆動回路１００を用いて、良好な画質を維持しながら消費電力が低減さ
れた電子機器を提供することができる。
【０１１８】
以上の実施形態においては、画素回路のスイッチ回路において直列接続された２つのＮ
チャネルＭＯＳトランジスターが用いられる場合について説明したが、スイッチ回路にお
いて１つのＮチャネルＭＯＳトランジスターが用いられても良いし、ＮチャネルＭＯＳト
ランジスターの替りにＰチャネルＭＯＳトランジスターが用いられても良い。このように
、本発明は、以上説明した実施形態に限定されるものではなく、当該技術分野において通
常の知識を有する者によって、本発明の技術的思想内で多くの変形が可能である。
【符号の説明】
【０１１９】
１０…ソース線駆動回路、１１…デコーダー、２０…ゲート線駆動回路、２１…デコー
ダー、３１〜３３…レギュレーター、４０…昇圧回路、５１〜５７…電圧生成回路、６０
…インターフェース、７０…制御回路、７１…レジスター、８０…ＲＡＭ、９０…差動増
幅回路、９１〜９３…第１〜第３の選択回路、１００…駆動回路、１００ａ…ＬＣＤパネ
ル、１０１…画素回路、１０２…スイッチ回路、１１０…操作部、１２０…制御部、１３
０…格納部、１４０…音声入出力部、１５０…通信部、２００…バッテリー、Ｃ０…画素
素子、Ｃ１…保持容量、Ｃ１１、Ｃ１２…昇圧用キャパシター、Ｃ２１〜Ｃ４８…平滑用
キャパシター、Ｒ１…抵抗、ＱＰ１０〜ＱＰ９５…ＰチャネルＭＯＳトランジスター、Ｑ
Ｎ１〜ＱＮ９６…ＮチャネルＭＯＳトランジスター、ＳＷ１０〜ＳＷ２２…スイッチ回路
、Ｓ２０〜Ｓ３２…セレクター、Ｓ（ｍ）…ソース線、Ｇ１（ｎ）…第１のゲート線、Ｇ
２（ｎ）…第２のゲート線
【図１】
2018159825.tif 000003
【図２】
2018159825.tif 000004
【図３】
2018159825.tif 000005
【図４】
2018159825.tif 000006
【図５】
2018159825.tif 000007
【図６】
2018159825.tif 000008
【図７】
2018159825.tif 000009
【図８】
2018159825.tif 000010